(57)【要約】【課題】  海苔畑の支柱の立て辛い海底の貝殻や砂の層に海苔支柱を立て込むための、海苔支柱立て込み装置を提供する。【解決手段】  海苔支柱との外形中央に排水する形状に設けたパイプの、主挟み板と挟み板にコイルばねの弾力を応用して海苔支柱を挟み固定して、噴射しながら海底の貝殻や砂の層を液状化して海苔支柱を立て込み、海苔支柱立て込み装置が海底に到達すると挟み板レバーを押上げて固定を解除し、海苔支柱立て込み装置を船上にロープで回収して、課題を解決する。【選択図】図３
0003149317.tif 000002
【実用新案登録請求の範囲】
【請求項１】
海苔支柱との外形中央根本に排水する形状にして設けたパイプに、ホースと、噴射範囲可変ノズルと、海苔支柱側面あてと、海苔支柱の丸みの形状の主挟み板と、海苔支柱の丸みの形状の挟み板と、スライド軸上側と、スライド軸下側と、スライド軸ガイド上側と、スライド軸ガイド下側と、挟み板レバーと、レバー支点軸と、支点軸受けと、レバーばねフックと、レバー止めと、挟み板バネフックと、コイルばねと、滑り止めゴム板主挟み板側と、滑り止めゴム板挟み板側と、ロープを合わせ構成した、海苔支柱立て込み装置。
【考案の詳細な説明】
【技術分野】
【０００１】  本考案は、海苔支柱立て込み装置に関するものであり、海苔支柱の立て辛い海苔畑海底の貝殼や砂の層を水圧により液状化して海苔支柱を立込む、海苔支柱立て込み装置に関する。
【背景技術】
【０００２】  従来から、海苔支柱立て込み装置として、特許文献に開示されているものがある。
【特許文献１】  特開２００３−１７４８２９号公報
【０００３】  海苔の生産地有明海では、船上から送水しながら水圧で海底の貝殻や砂の層を液状化し穴を開け、海苔支柱を立て込む、金属製のパイプが利用されている（図８）。
【考案の開示】
【考案が解決しようとする課題】
【０００４】  特許文献１では重機により海苔支柱を立て込む方法が取られているが、海苔漁船に重機を積むと積載量が増え、有明海の海苔漁船では海苔支柱を積むスペースが減少してしまい、船を大きくすると扱いづらく、コスト面でもデメリットが発生する。【０００５】  従来から利用されている金属性の送水パイプは、船上から海水ポンプにより送水して、海底の貝殻や砂の層に海水を噴射しながら液状化して穴を開け、パイプを引き抜き、開けた穴に海苔支柱の根元を差し込みたてられているが、船上からパイプを引き抜いた穴は貝殻や砂や泥の濁りで見えないために、海苔支柱の根本が差し込みづらく、何度も送水パイプを上げ下げして穴を大きくして、海苔支柱の根元で穴を探し海苔支柱を押さえ立て込まれている。【０００６】  穴を大きくすると貝殻や砂の層の液状化の面積が広くなり、潮流の速い波の荒い時、海苔支柱は傾いたり抜けたりしてしまう、傾き、抜けを、防止するために、海苔支柱を上げ下げして反動をつけ押さえ深く立てると、海苔支柱の長さが限られているので、海苔芽を発育するために、満潮時の水面の光と干潮時の間出時間を取るための、海苔支柱に海苔網を吊るすロープの場所が限られ、満潮時の風が強く波の荒い時、海苔支柱は海苔網の目を指し海面から露出して、海苔網は乾燥して時間がたつと海苔の種芽は死んでしまう。【０００７】  長い海苔支柱を使用すると直径も大きくなり、重量も増え扱いづらく、海苔期間が終わり海苔支柱を撤去するとき、海底に深く抜かれているために抜き辛い、コスト面でもデメリットが発生する、この考案は、これらの不都合を解決することを課題とする。
【課題を解決するための手段】
【０００８】  そこで、海苔支柱との外形中央根本に排水する形状にして設けたパイプに、ホースと、噴射範囲可変ノズルと，海苔支柱側面あてと、海苔支柱の丸みの形状の主挟み板と、海苔支柱の丸みの形状の挟み板と，スライド軸上側と、スライド軸下側と、スライド軸ガイド上側と、スライド軸ガイド下側と、挟み板レバーと、レバー支点軸と、支点軸受けと、レバーばねフックと、レバー止と、挟み板ばねフックと、コイルばねと、滑り止めゴム板主挟み板側と、滑り止めゴム板挟み板側と、ロープを合わせて構成した、海苔支柱立て込み装置を考案した（図３）。【０００９】  海苔支柱との外形中央根本に排水するパイプの上部に、注水ホースと、根本に噴射範囲可変ノズルと、下部分に海苔支柱側面あてを、パイプの上部分に、海苔支柱の丸みの形状の主挟み板と、スライド軸上側と、スライド軸下側と、挟み板レバーと、レバー支点軸と、レバーばねフックと、レバー止めと、滑り止めゴム板主挟み板側を合わせて、（図１）の形状を作る。【００１０】  海苔支柱の丸みの形状の挟み板に、スライド軸受け上側と、スライド軸受け下側と、挟み板ばねフックと、滑り止めゴム板挟み板側を合わせて、（図２）の形状を作る。【００１１】  （図１）海苔支柱の丸みの形状の主挟み板の、スライド軸上側とスライド軸下側を、（図２）海苔支柱の丸みの形状の挟み板の、スライド軸受け上側とスライド軸受け下側の、各それぞれの穴に入れ込み、コイルばねをレバーばねフックと挟み板ばねフック間に合わせて、駆動レバーにロープを合わせて、（図３）の形状を作り、海苔支柱立て込み装置を構成する。【００１２】  この海苔支柱立て込み装置の、主挟み板と挟み板間のスライド軸上側下側の、対側面側の開いた部分から海苔支柱をいれ、パイプの噴射範囲可変ノズルの噴射範囲をきめ、海苔支柱の根元下位置に、海苔支柱側面あてを海苔支柱の側面と合わせ、主挟み板と挟み板で挟み、スライド軸側（図３）を正面に見て、挟み板レバーで、レバー支点軸を支点に、テコの原理で、レバーばねフックで、挟み板とレバーばねフック間の、コイルばねを引き伸ばし、弾力を超える力で右回りに扇状にまわす。【００１３】  レバー支点軸を支点に右回りに扇状に回る時、レバーばねフックは、挟み板ばねフックを軸に、コイルばねを引き伸ばし、大きく扇状を描きながら、挟み板ばねフックとレバーばねフックを結ぶ直線状の中間に位置するレバー支点軸を通過した時、挟み板レバーはコイルばねの弾力により右回りに回り、弾力の強い位置の、レバー止めで止まり、コイルばねの弾力を応用して、主海苔支柱と挟み板との間に海苔支柱を挟み固定する。【００１４】  船上より、ホースの注水口に水圧を加え、海底の所定に位置に噴射し、液浄化しながら海苔支柱を押さえ込む時、海苔支柱との、外形の中央に排水する形状に設けた、ノズルの付いたパイプは、挟んでいる海苔支柱の方向に曲げられた形状により、液状化される貝殻や砂に押さえ込まれる抵抗で、海苔支柱に寄り合い、海苔支柱に海苔支柱側面あてを押し付け平行を保ちながら、挟み板レバーが海底に到達し、海苔支柱を押さえ込むことで海底センサーの役割となり、コイルばねの弾力を超える力で挟み板レバーを押し上げ、挟み板ばねフックとレ���ーばねフックを結ぶ線状の中間に位置するレバー支点軸を通過した時点でコイルばねの弾力で左回りに扇状に動き、主挟み板と挟み板に挟まれている、海苔支柱の固定が解除されて、海苔支柱立て込み装置は噴射の反動で海底から抜き上がろうとし、それを手助けするために挟み板レバーに結んであるロープを引き、船上に引き上げることが出来る。
【考案の効果】
【００１５】  本考案の、海苔支柱立て込み装置を海苔支柱に用いることで、従来のパイプのように見えない穴を探したり大きくしたりする必要はなく、また速い潮流により、大きな穴で傾いたり抜けたりする事なく、根本の噴射可変ノズルから海水を噴射しながら所定の位置に、海苔畑の海底の貝殻や砂の層を液状化して所定の深さ、コストを削減して、海苔支柱を立て込む疲労を軽減する事が出来るのである。
【考案を実施するための最良の形態】
【００１６】  本考案に係わる海苔支柱立て込み装置は、２３海苔支柱との外形の中央根本に排水する形状にして設けた、１パイプに、２ホースと、３噴射範囲可変ノズルと、４海苔支柱側面あてと、２３海苔支柱の丸みの形状の、５主挟み板と、７スライド軸上側と、８スライド軸下側と、１１挟み板レバーと、１２レバー支点軸と、１３支点軸受け板と、１４レバーばねフックと、１５レバー止めと、１８滑り止めゴム板主挟み板側と、２０ロープを合わせて、また、２３海苔支柱の丸みの形状の、６挟み板に、８スライド軸ガイド上側と、９スライド軸ガイド下側と、１９滑り止めゴム板挟み板側と、１５はさみ板ばねフックを合わせて、５主挟み板の、７スライド軸上側と、８スライド軸下側を、６挟み板の、９スライド軸受け上側と、１０スライド軸受け下側に入れ込み、１６挟み板ばねフックと、１４レバーばねフックに、１７コイルばねを合わせ、（図３）の形状の、海苔支柱立て込み装置を構成している。【００１７】  海苔支柱立て込み装置を、２３海苔支柱に用いる場合、５主挟み板と、６はさみ板の、７スライド軸上側と、８スライド軸下側の、対側面側の開いた部分から、２３海苔支柱を入れ、１パイプの、３噴射可変ノズルを、２３海苔支柱の根元の位置に、４海苔支柱側面あてを、２１海苔支柱の側面と合わせ、５主挟み板と、６挟み板で挟み、スライド軸側を（図３）を正面に見て、１１挟み板レバーで、１２レバー支点軸を支点に、テコの原理を応用し、１４レバーばねフックで、６挟み板と、１４レバーばねフック間の、１７コイルばねを引き伸ばし、弾力を超える力で右回りに扇状に回す。【００１８】  １２レバー支点軸を支点に扇状に右回りに回る時、１４レバーばねフックは、１６挟み板ばねフックを軸に、１７コイルばね弾力を引き伸ばし大きく扇状を描きながら、１６挟み板ばねフックと、１４レバーばねフックを結ぶ直線状の中間に位置する、１２レバー支点軸を通過した時、１１挟み板レバーは、１７コイルばねの弾力により右回りに回り、弾力の強い位置の、１５レバー止めの位置で止まり、１７コイルばねの弾力を応用して、５主挟み板と、６挟み板とで、１８滑り止めゴム板と、１９滑り止めゴム板を間にして、２３海苔支柱を固定する。【００１９】  船上より、２ホースの注水口に水圧をかけ、３噴射範囲可変ノズルから海底の所定の位置に噴射しながら、２３海苔支柱で、固定された海苔支柱立て込み装置を押え込む時、２３海苔支柱との外形の中央に排水する形状に設けた、２ノズルの付いた、１パイプは、挟んでいる、２３海苔支柱の方向に曲げられた形状により、液状化される貝殻や砂に押さえ込まれる抵抗で、２３海苔支柱に寄り合い、２３海苔支柱に、４海苔支柱側面あてを押し付け平行を保ちながら、１１挟み板レバーが海底に到達した時、海苔支柱を押さえ込むことで海底センサーの役割となり、１７コイルばねの弾力を超える力で、１１挟み板レバーを押し上げ、１５挟み板ばねフックと、１４レバーばねフックを結ぶ線状の中間に位置する、１２レバー支点軸を通過した時点で、１７コイルばねの弾力で左回りに扇状に動き、５主挟み板と、６挟み板の、２３海苔支柱の固定が解除されて、海苔支柱立て込み装置は噴射の反動で海底から抜き上がろ���とし、それを手助けするために、１１挟み板レバーに結んであるロープを引き、船上に引き上げることが出来る。【００２０】  このように工夫した、本考案の、海苔支柱立て込み装置を海苔支柱の立て込み作業に利用すると、手の届かない位置の海苔支柱立て込み装置の固定を解除することができ海苔支柱の立て込み作業の疲労を減らし能率を向上させる事ができる。【００２１】  尚、パイプの長さは、海苔支柱を立て込む深さで長さを決め、主挟み板と挟み板の丸みの形状は海苔支柱の丸みに合わせ挟み幅を決め、長さはコイルばねの強度とのバランスで海苔支柱を立て込む場合滑らない長さと強さにするとよい。【００２２】  これら、海苔支柱立て込み装置の材料は海水に強く錆びない金属がよい。
【産業上の利用可能性】
【００２３】  本発明に係る、海苔支立て込み装置は、工業的量産することが可能であるために、産業上の利用可能性を有する。
【図面の簡単な説明】
【００２４】
【図１】  主挟み板部分の、立面図である。
【図２】  挟み板部分の、立面図である。
【図３】  主挟み板部分と挟み板部分を合わせた、本考案の海苔支柱立て込み装置の立面図である。
【図４】  海苔支柱立て込み装置の、主挟み板と挟み板との間に海苔支柱を挟んだ立面である。
【図５】  噴射範囲可変ノズルの平面図である。
【図６】  噴射範囲可変ノズルの平面図である。
【図７】  海苔支柱の立面図である。
【図８】  従来の海苔支柱立て用具の立面図である。
【符号の説明】
【００２５】  １  海苔支柱との外形の中央根本に排水する形状のパイプを示す
２  ホースの注水口を示す
３  噴射範囲可変ノズルを示す
４  海苔支柱側面あてを示す
５  主挟み板を示す
６  挟み板を示す
７  スライド軸上側を示す
８  スライド軸下側を示す
９  スライド軸ガイド上側を示す
１０  スライド軸ガイド下側を示す
１１  挟み板レバーを示す
１２  レバー支点軸を示す
１３  支点軸受けを示す
１４  レバーばねフックを示す
１５  レバー止を示す
１６  挟み板ばねフックを示す
１７  コイルばねを示す
１８  滑り止めゴム板主挟み板側を示す
１９  滑り止めゴム板挟み板側を示す
２０  ロープを示す
２１  噴射範囲調整ボルトを示す
２２  噴射範囲調整ボルト回り防止ばねを示す
２３  海苔支柱を示す
２４  ソケットを示す
２５  アンテナを示す
【図１】
0003149317.tif 000003
【図２】
0003149317.tif 000004
【図３】
0003149317.tif 000005
【図４】
0003149317.tif 000006
【図５】
0003149317.tif 000007
【図６】
0003149317.tif 000008
【図７】
0003149317.tif 000009
【図８】
0003149317.tif 000010
【手続補正書】
【提出日】平成20年12月12日(2008.12.12)
【手続補正１】
【補正対象書類名】実用新案登録請求の範囲
【補正対象項目名】全文
【補正方法】変更
【補正の内容】
【実用新案登録請求の範囲】
【請求項１】
海苔支柱の側面を左右から挟み海苔支柱の立て辛い海底の貝殻や砂の層を水圧により液状化して海苔支柱を立て込むため、海苔支柱の柄に合わせた、金属パイプを縦に二分して海苔支柱挟み金具を設け、片方の海苔支柱挟み金具の半円形の内側に、滑り止めゴム板と、横側上下にスライド軸受けパイプと、上下パイプの間に、挟み板ばねフックを設けて組み合わせ、対片方の主海苔支柱挟み金具の半円形の内側に、滑り止めゴム板と、横側上下にスライド軸と、半円形の外側縦に注水口を上にして排水口を窄めて側面の一部分に片寄せした送水パイプと、窄めた排水口に噴射範囲可変ノズルと、海苔支柱挟み金具と主海苔支柱挟み金具の間に海苔支柱を入れて挟み絞め付けるため、支点軸受けと、レバー支点軸と、挟み金具絞めレバーと、レバーばねフックと、レバー止めと、引っ張りロープを設けて組み合わせ、海苔支柱挟み金具の半円形横側上下のスライド軸受けパイプに主海苔支柱挟み金具挟み金具半円形上下のスライド軸上下をそれぞれ入れ込み、海苔支柱挟み金具と主海苔支柱挟み金具を組み合わせて、ばねフックとレバーばねフックの間に、コイルばねを設けて組み合わせて構成した、海苔支柱立て込み装置。
【手続補正２】
【補正対象書類名】明細書
【補正対象項目名】全文
【補正方法】変更
【補正の内容】
【考案の詳細な説明】
【技術分野】
【０００１】  本考案は、海苔支柱の立て辛い海苔畑海底の貝殻や砂の層を水圧により液状化して海苔支柱を立て込む、海苔支柱立て込み装置に関する。
【背景技術】
【０００２】  従来から、海苔支柱立て込み装置として、特許文献に開示されているものがある。
【特許文献１】  特開２００３−１７４８２９号公報
【０００３】  海苔の生産地有明海では、船上から送水しながら水圧で海底の貝殻や砂の層を液状化し穴を開け、海苔支柱を立て込む、金属製のパイプが利用されている（図１２）。
【考案の開示】
【考案が解決しようとする課題】
【０００４】  特許文献１では重機により海苔支柱を立て込む方法が取られているが、海苔漁船に重機を積むと積載量が増え、有明海の海苔漁船では海苔支柱を積むスペースが減少してしまい、船を大きくすると扱いづらく、コスト面でもデメリットが発生する。【０００５】  従来から利用されている金属性の送水パイプは、船上から海水ポンプにより送水して、海底の貝殻や砂の層に海水を噴射しながら液状化して穴を開け、パイプを引き抜き、開けた穴に海苔支柱の根元を差し込み立て込まれているが、船上からパイプを引き抜いた穴は貝殻や砂や泥の濁りで見えないために、海苔支柱の根本が差し込みづらく、何度も送水パイプを上げ下げして穴を大きくして、海苔支柱の根元で穴を探し海苔支柱を押さえ立て込まれている。【０００６】  しかし、穴を大きくすると貝殻や砂の層の液状化の面積が広くなり、潮流の速い波の荒い時、海苔支柱は傾いたり抜けたりしてしまう、傾き、抜けを、防止するために、海苔支柱を上げ下げして反動をつけ押さえ深く立てると、海苔支柱の長さが限られているので、海苔芽を発育するために、満潮時の水面の光と干潮時の間出時間を取るための、海苔支柱に海苔網を吊るすロープの場所が限られ、満潮時の風が強く波の荒い時、海苔支柱は海苔網の目を指し海面から露出して、海苔網は乾燥して時間がたつと海苔の種芽は死んでしまう。【０００７】  長い海苔支柱を使用すると直径も大きくなり、重量も増え扱いづらく、海苔期間が終わり海苔支柱を撤去するとき、海底に深く抜かれているために抜き辛い、コスト面でもデメリットが発生する、この考案は、これらの不都合を解決することを課題とする。
【課題を解決するための手段】
【０００８】  そこで、海苔支柱の側面を左右から挟み海苔支柱の立て辛い海底の貝殻や砂の層を水圧により液状化して海苔支柱を立て込むために、海苔支柱の柄に合わせた金属パイプを、長さを決めて縦に二分して半円形の海苔支柱挟み金具を設け、片方の海苔支柱挟み金具の半円形の内側に、滑り止めゴム板と、横側の上下にスライド軸受けパイプと、スライド軸受け上下の間に挟み金具ばねフックを設けて組み合せ（図１）の形状を作る。【０００９】  対片方の主海苔支柱挟み金具の半円形の内側に、滑り止めゴム板と、横側上下にスライド軸と、半円形の外側縦に、注水口を上にして排水口を窄めて側面の一部分に片寄せした送水パイプの片寄せした側面を主海苔支柱挟み金具の方向にした、送水パイプと、排水口に噴射可変ノズルと、海苔支柱挟み金具と主海苔支柱挟み金具の間に海苔支柱を挟み絞め付ける為、支点軸受けとレバー支点軸と挟み金具絞めレバーとレバーばねフックとレバー止めと引っ張りロープを設けて組み合わせ（図２）の形状を作る。【００１０】  海苔支柱挟み金具の半円形横側上下のスライド軸受けパイプに主海苔支柱挟み金具の半円形横側上下のスライド軸を上下それぞれに入れ込み、挟み板ばねフックとレバーばねフックの間にコイルばねを設けて組み合わせ（図３）の海苔支柱立て込み装置を構成する。【００１１】  この、海苔支柱立て込み装置を船上で海苔支柱の根本より噴射範囲可変ノズルの位置を下側に海苔支柱に固定して海苔支柱を持ち、海苔支柱の立て辛い貝殻や砂の層の海底の所定の位置に押さえ、送水ホースに水圧をかけ、噴射範囲可変ノズルから噴射しながら、貝殻や砂の層を液状化して押さえ込でいくと、貝殻や砂の層を海苔支柱の根元は通過することができる。【００１２】  海底面に達した海苔支柱立て込み装置の挟み金具絞めレバーは海底面により押し上げられ、海苔支柱から固定が解除され、また、海底表面が柔らかい場合挟み板絞めレバーに結んである引っ張りロープを引くことにより、固定を解除することができる。【００１３】  海苔支柱から固定が解除された、海苔支柱立て込み装置は、噴射範囲可変ノズルの噴射の反動と引っ張りロープにより、海底から引き上げることができる。【００１４】  海苔支柱立て込み装置により、貝殻や砂の層を根元の通過した海苔支柱は、上下の反動をつけ所定の深さまで押え立て込むことができる。
【考案の効果】
【００１５】  よって、本考案の海苔支柱立て込み装置を海苔支柱に用いて海苔支柱の立て辛い海苔畑の海底の貝殻や砂の層に立て込む場合、従来のパイプのように開けた穴が見えなかったり、見えないために穴を大きくしたり、大きくした穴に立て込んだ海苔支柱が速い潮流により傾いたり抜けたりする不都合は起きず、長くて大きな海苔支柱を使う必要もなく、コストも削減でき、海苔支柱に吊るされた海苔網の芽を順調に育てることができて海苔の増産に結びつくのである。
【考案を実施するための最良の形態】
【００１６】  本考案の海苔支柱立て込み装置を用いて、２３海苔支柱を立込む場合、２海苔支柱挟み金具と、１主海苔支柱挟み金具の間を広げ、２海苔支柱挟み金具の、５、６スライド軸受けパイプ上下と、１主海苔支柱挟み金具の、３、４スライド軸上下を正面にした裏側から、２３海苔支柱を入れる、図４。【００１７】  １０噴射範囲可変ノズルの、１１噴射範囲調整ボルトで噴射範囲をきめ、１０噴射範囲可変ノズを、２３海苔支柱の根元より適度に下側にして、２主海苔支柱挟み金具の、９送水パイプと、２３海苔支柱とが平行になる状態で、１海苔支柱挟み金具とで挟み、１６レバー支点軸を支点に、１７挟み金具絞めレバーで、２０挟み金具ばねフックと、１８レバーばねフックの間の、２１コイルばねをテコの原理で弾力を超える力で引き伸ばし、２０挟み金具バネフックと、１８レバーばねフックと結ぶ線状が、１６レバー支点軸の位置を交差して過ぎるまで、１７挟み金具絞めレバーで、図４を正面にして、右回り方向に、１９レバー止めまで動かし、２０挟み金具ばねフックと、１８レバーばねフックとの間の、２１コイルばねの縮む弾力を応用して、２海苔支柱挟み金具の、８滑り止めゴム板と、１主海苔支柱挟み金具の、７滑り止めゴム板の間で、２３海苔支柱に固定する、図５。【００１８】  船上より、海苔支柱立て込み装置の固定された、２３海苔支柱をもち、１３ホースの、１４注水口に水圧をかけ海底の所定の位置に、１０噴射範囲可変ノズルから噴射して、貝殻や砂の層を液状化しながら押え込んでいく。【００１９】  排水口を窄めて側面の一部分に片寄せした、９送水パイプの、片寄せした側面を、１主海苔支柱挟み金具の方向に合わせた、排水口を窄めて片寄せした、９送水パイプは、２３海苔支柱と共に押さえ込まれる時、１０噴射範囲可変ノズルにより液状化した貝殻や砂の抵抗で、２３海苔支柱の方向に押されて、２３海苔支柱の根元と噴射範囲可変ノズルは間を広げる事なく押さえ込まれる。【００２０】  ２３海苔支柱を押さえ込んで行くことで、海苔支柱立て込み装置の、１７挟み金具絞めレバーは海底面に当たり、１７挟み金具絞めレバーは海底センサーとなり、１６レバー支点軸を支点にてこの原理で、２０挟み金具ばねフックと、１８レバーばねフック間の、２１コイルばねの弾力を超える力で引き伸ばし、１７挟み金具絞めレバーを押し上げ、２０挟み金具ばねフックと、１８レバーばねフックを結ぶ線状が、１６レバー支点軸の位置を交差して過ぎて、図４を正面に、２１コイルばねの縮む弾力で、１７挟み金具絞めレバーは左回りに動く。【００２１】  ２海苔支柱挟み金具の、８滑り止めゴム板と、１主海苔支柱挟み金具の、７滑り止めゴム板の間の、２３海苔支柱の固定が解除され、また、海底表面が柔らかい場合は、１７挟み金具絞めレバーに結んである、２２ロープを強く引くことにより、固定が解除され、海苔支柱立て込み装置は、１０噴射範囲可変ノズルの噴射の反動と、２２ロープを引き、船上に引き上げる。【００２２】  海苔支柱立て込み装置により貝殻や砂の層を通過した、２３海苔支柱は上下の反動を付け所定の深さまで押さえ立て込む。【００２３】  このように工夫した、本考案の、海苔支柱立て込み装置を海苔支柱の立て込み作業��利用すると、手の届かない位置の海苔支柱立て込み装置の固定を解除することができ海苔支柱の立て込み作業の疲労を減らし能率を向上させる事ができる。【００２４】  尚、海苔支柱立て込み装置の金属パイプを縦に二分した挟み金具は海苔支柱の柄に合わせて大きさと挟み幅と長さを決め、送水パイプの長さは、海苔支柱を立て込む深さで長さを決め、コイルばねの弾力は海苔支柱を立て込む場合滑らない強さにするとよい。【００２５】  これら、海苔支柱立て込み装置の材料は海水に強く錆びない金属が望ましい。
【産業上の利用可能性】
【００２６】  本発明に係る、海苔支柱立て込み装置は、工業的量産することが可能であるために、産業上の利用可能性を有する。
【図面の簡単な説明】
【００２７】
【図１】  海苔支柱挟み金具の部分立面図である。
【図２】  主海苔支柱挟み金具の部分立面図である。
【図３】  海苔支柱挟み金具部分と主海苔支柱挟み金具部分とコイルばねを組み合わせ構成した、海苔支柱立て込み装置の立面図である。
【図４】  海苔支柱立て込み装置の、海苔支柱挟み金具と主海苔支柱挟み金具の間に海苔支柱を入れた立面図である。
【図５】  海苔支柱立て込み装置の、海苔支柱挟み金具と主海苔支柱挟み金具の間に海苔支柱を挟み絞めた立面図である。
【図６】  排水口を窄めて側面の一部分に片寄せした送水パイプの立面図である。
【図７】  排水口を窄めて側面の一部分に片寄せした送水パイプに噴射範囲可変ノズルを合わせた部分側面図である。
【図８】  排水口を窄めて側面の一部分に片寄せした送水パイプの平面図である。
【図９】  噴射範囲可変ノズルの側面図である。
【図１０】  噴射範囲可変ノズルの平面図である。
【図１１】  海苔支柱の側面図である。
【図１２】  従来の海苔支柱立て用具金属パイプの側面図である。
【符号の説明】
【００２８】  １  主海苔支柱挟み金具を示す
２  海苔支柱挟み金具を示す
３  スライド軸上を示す
４  スライド軸下を示す
５  スライド軸受けパイプ上を示す
６  スライド軸受けパイプ下を示す
７  滑り止めゴム板主海苔支柱挟み金具側を示す
８  滑り止めゴム板海苔支柱挟み金具側を示す
９  送水パイプを示す
１０  噴射範囲可変ノズルを示す
１１  噴射範囲調整ボルトを示す
１２  噴射範囲調整ボルト回り防止ばねを示す
１３  送水ホースを示す
１４  ホースの注水口を示す
１５  レバー支点軸受けを示す
１６  レバー支点軸を示す
１７  挟み金具絞めレバーを示す
１８  レバーばねフックを示す
１９  レバー止めを示す
２０  挟み金具ばねフックを示す
２１  コイルばねを示す
２２  ロープを示す
２３  海苔支柱を示す
２４  従来の金属製のパイプを示す
【手続補正３】
【補正対象書類名】図面
【補正対象項目名】全図
【補正方法】変更
【補正の内容】
【図１】
0003149317.tif 000011
【図２】
0003149317.tif 000012
【図３】
0003149317.tif 000013
【図４】
0003149317.tif 000014
【図５】
0003149317.tif 000015
【図６】
0003149317.tif 000016
【図７】
0003149317.tif 000017
【図８】
0003149317.tif 000018
【図９】
0003149317.tif 000019
【図１０】
0003149317.tif 000020
【図１１】
0003149317.tif 000021
【図１２】
0003149317.tif 000022